【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
軒桁等の一方の接合部材（３）に取り付けられるボート部（２１）と、桁等の他方の接合部材（４）に取り付けられる羽子板部（２２）とが一体に設けられ、
羽子板部（２２）は、他方の接合部材（４）の表面に当接される内側板（２３）と、内側板（２３）と所定間隔を隔てて対向する外側板（２４）と、内側板（２３）および外側板（２４）を互いに連結する左右の連結板（２５，２６）と、左右の連結板（２５，２６）の中間に位置する中間板（２７）とから構成され、
外側板（２４）と内側板（２３）には、ボート部（２１）寄りの連結板（２６）と中間板（２７）との間に位置して、前記他方の接合部材（４）に設けられた貫通孔（９）に挿通される固定ボート（８）を挿通させるボート孔（２４ａ，２３ａ）がそれぞれ設けられ、
ボート部（２１）から遠い方の連結板（２５）と中間板（２７）には、羽子板ボート（２０）全体を建物（Ｔ）の内側へ向けて可動させる可動ボート（２８）を挿通させるボート孔（２５ａ，２７ａ）がそれぞれ設けられ、
中間板（２７）のボート孔（２７ａ）の周囲には、ネジが切られて、ボート孔（２７ａ）に挿通した可動ボート（２８）を回して前進させる固定ナット（２９）が取り付けられ、
前記外側板（２４）と内側板（２３）の各ボート孔（２４ａ，２３ａ）は、羽子板ボート（２０）全体を建物（Ｔ）の内側へ向けて可動できるように左右に延びる長孔に形成され、
ボート部（２１）の先端を一方の接合部材（３）の貫通孔（７）に挿通させて建物（Ｔ）の外面側に設けられた凹部（６）内に突出させてその先端にナット（１１）を装着し、羽子板部（２２）の外側板（２４）と内側板（２３）の各ボート孔（２４ａ，２３ａ）を介して固定ボート（８）の先端を他方の接合部材（４）の貫通孔（９）に挿通させ突出させてその先端にナット（１１）を装着した状態で、ボート部（２１）から遠い方の連結板（２５）と中間板（２７）の各ボート孔（２５ａ，２７ａ）に挿通され中間板（２７）の固定ナット（２９）にネジ結合された可動ボート（２８）を回して前進させて、固定ボート（２８）の側面を押圧し、固定ボート（２８）からの反発力によって、羽子板ボート（２０）全体を建物（Ｔ）の内側へ向けて引っ張り、羽子板ボート（２０）に一方の接合部材（３）を他方の接合部材（４）に向けて押圧する張力を発生させるように構成されていることを特徴とする羽子板ボート。
【手続補正２】
【補正対象書類名】明細書
【補正対象項目名】全文
【補正方法】変更
【補正の内容】
【発明の詳細な説明】
【発明の名称】羽子板ボート
【技術分野】
【０００１】
本発明は羽子板ボートに関するものである。
【背景技術】
【０００２】
図１は、従来の在来タイプの羽子板ボート１の取り付け状態を示している。図１（Ａ）に示すように、柱２の上端には軒桁３が架設され、同図（Ｂ）に示すように、軒桁３の内側面には桁４の端部が、あり継ぎ部５を介して接合されている。軒桁３の外面にはナット収容用の凹部６が座掘りされ、凹部６には、軒桁３の内面から羽子板ボート１のボート部１Ａを挿通させる貫通孔７が開口している。一方、桁４の幅方向には、羽子板ボート１の羽子板部１Ｂを桁４の側面に固定する固定用ボート８を挿通させる貫通孔９が貫通している。
【０００３】
羽子板ボート１は、図１（Ａ）（Ｂ）に示すように、ボート部１Ａが軒桁３の貫通孔７に挿通された状態で、凹部６内でボート部１Ａの先端に座金１０およびナット１１が装着され、また、羽子板ボート１の羽子板部１Ｂのボート孔１２から桁４の貫通孔９内に固定用ボート８が挿通されてその先端に座金１０およびナット１１が装着され、それぞれのナット１１，１１が緊結されることで、羽子板ボート１を介して、軒桁３と桁４を強く接合することができる。
【０００４】
そして、その後、柱２から軒桁３にかけて外面に外壁材１３が取り付け施工されるとともに、軒桁３の上に屋根の垂木１４が架設されて、垂木１４の上に野地板１５、ルーフィング材（防水紙）１６を介して、屋根葺き材１７が取り付けられる。
【発明の開示】
【発明が解決しようとする課題】
【０００５】
従来の在来タイプの羽子板ボート１は、外壁材１３が施工されると、図１に示すように、凹部６内が外壁材１３により覆われるため、凹部６内のナット１１は外から回すことができず、このため、住宅完成後に木材の収縮で羽子板ボート１が緩くなっても、張力を調整することができなかった。
【０００６】
本発明は、上記課題に鑑みてなされたもので、住宅完成後木材の収縮で羽子板ボートが緩くなった場合でも、建物の内側から羽子板ボートを引っぱり、ナットを締めたのと同じように張力を持たすことのできる、羽子板ボートを提供することにある。
【課題を解決するための手段】
【０００７】
上記課題を解決するために、本発明の請求項１に係る羽子板ボートは、
軒桁等の一方の接合部材に取り付けられるボート部と、桁等の他方の接合部材に取り付けられる羽子板部とが一体に設けられ、
羽子板部は、他方の接合部材の表面に当接される内側板と、内側板と所定間隔を隔てて対向する外側板と、内側板および外側板を互いに連結する左右の連結板と、左右の連結板の中間に位置する中間板とから構成され、
外側板と内側板には、ボート部寄りの連結板と中間板との間に位置して、前記他方の接合部材に設けられた貫通孔に挿通される固定ボートを挿通させるボート孔がそれぞれ設けられ、
ボート部から遠い方の連結板と中間板には、羽子板ボート全体を建物の内側へ向けて可動させる可動ボートを挿通させるボート孔がそれぞれ設けられ、
中間板のボート孔の周囲には、ネジが切られて、ボート孔に挿通した可動ボートを回して前進させる固定ナットが取り付けられ、
前記外側板と内側板の各ボート孔は、羽子板ボート全体を建物の内側へ向けて可動できるように左右に延びる長孔に形成され、
ボート部の先端を一方の接合部材の貫通孔に挿通させて建物の外面側に設けられた凹部内に突出させてその先端にナットを装着し、羽子板部の外側板と内側板の各ボート孔を介して固定ボートの先端を他方の接合部材の貫通孔に挿通させ突出させてその先端にナットを装着した状態で、ボート部から遠い方の連結板と中間板の各ボート孔に挿通され中間板の固定ナットにネジ結合された可動ボートを回して前進させて、固定ボートの側面を押圧し、固定ボートからの反発力によって、羽子板ボート全体を建物の内部側へ向けて引っ張り、羽子板ボートに一方の接合部材を他方の接合部材に向けて押圧する張力を発生させるように構成されていることを特徴とする。
【発明の効果】
【０００８】
以上説明したように、本発明の羽子板ボートによると、住宅完成後木材の収縮で羽子板ボートが緩くなった場合でも、建物の内側から羽子板ボート全体を建物の内側へ向けて引っ張り、ナットを締めたのと同じように羽子板ボートに張力を持たすことができ、建物の内側から羽子板ボートの緩みを調整することができるという優れた効果を奏する。
【発明を実施するための最良の形態】
【０００９】
以下、本発明の実施の形態を、図面を参照して説明する。
図２は本発明の一実施形態を示すもので、図２において、符号２０は本発明に係る羽子板ボートを示している。なお、図１に示す部材と同一部材には同一符号を付して、その説明は省略する。
【００１０】
羽子板ボート２０は、図２（Ａ）に示すように、軒桁３に取り付けられるボート部２１と、桁４に取り付けられる羽子板部２２とが一体に設けられている。
【００１１】
羽子板部２２は、図２（Ｂ）（Ｃ）に示すように、桁４の表面に当接される内側板２３と、内側板２３と所定間隔を隔てて対向する外側板２４と、内側板２３および外側板２４を互いに連結する左右の連結板２５，２６と、左右の連結板２５，２６の中間に位置する中間板２７とから構成されている。
【００１２】
外側板２４と内側板２３には、ボート部２１寄りの図２（Ｃ）の右側の連結板２６と中間板２７との間に位置して、桁４に幅方向に設けられた貫通孔９に挿通される固定ボート８を挿通させるボート孔２４ａ，２３ａがそれぞれ設けられている。ボート部２１から遠い方の図２（Ｃ）の左側の連結板２５と中間板２７には、羽子板ボート２０全体を建物の内側へ向けて図２（Ｃ）の左側へ可動させる可動ボート２８を挿通させるボート孔２５ａ，２７ａがそれぞれ設けられている。ボート孔２５ａ，２７ａは、羽子板ボート２０全体を建物Ｔの内側へ向けて図２（Ｃ）の左側へ可動できるように、図２（Ａ）に示すように左右に細く延びる長孔に形成されている。
【００１３】
中間板２７のボート孔２７ａの周囲には、図２（Ｃ）に示すように、ネジが切られ、ボート孔２７ａに挿通した可動ボート２８を回して前進させる固定ナット２９が取り付けられている。
【００１４】
そして、ボート部２１の先端を軒桁３の貫通孔７に挿通させて軒桁３の外面側に設けられた凹部６内に突出させてその先端に座金１０およびナット１１を装着し、羽子板部２２の外側板２４と内側板２３の各ボート孔２４ａ，２３ａを介して固定ボート８の先端を桁４の貫通孔９に挿通させ突出させてその先端に座金１０およびナット１１を装着した状態で、ボート部２１から遠い方の図２（Ｃ）の左側の連結板２５と中間板２７の各ボート孔２５ａ，２７ａに挿通され中間板２７の固定ナット２９にネジ結合された可動ボート２８を回して前進させて、固定ボート８の側面を押圧し、固定ボート８からの反発力によって、羽子板ボート２０全体を建物Ｔの内側へ向けて可動させて引っ張り、羽子板ボート２０全体に軒桁３を桁４に向けて押圧する張力を発生させるようになっている。
【００１５】
これにより、建物完成後に木材の収縮で羽子板ボート２０が緩くなった場合でも、建物Ｔの内側から可動ボート２８を回して前進させて、固定ボート８の側面を押圧し、固定ボート８からの反発力によって、羽子板ボート２０全体を引っ張り、凹部６内のナット１１を締めたのと同じように軒桁３を桁４に向けて押圧する張力を持たせることができ、羽子板ボート２０の緩みを調整して、軒桁３と桁４の接合状態をしっかりと緊結することができる。
【産業上の利用可能性】
【００１６】
本発明に係る羽子板ボートは、建物の接合部材どうしを接合する羽子板ボートとして、利用可能である。
【図面の簡単な説明】
【００１７】
【図１】（Ａ）は従来の在来タイプの羽子板ボートの取り付け状態を示す建物の要部断面図、（Ｂ）はその平面図である。
【図２】（Ａ）は本発明の羽子板ボートの取り付け状態を示す建物の要部断面図、（Ｂ）は（Ａ）におけるＢ−Ｂ線矢視図、（Ｃ）は（Ａ）の平面図である。
【符号の説明】
【００１８】
１，２０  羽子板ボート
１Ａ，２１  ボート部
１Ｂ，２２  羽子板部
２  柱
３  軒桁
４  桁
５  あり継ぎ部
６  凹部
７，９  貫通孔
８  固定用ボート
１０  座金
１１，２９  ナット
１２，２３ａ，２４ａ，２５ａ，２７ａ  ボート孔
１３  外壁材
１４  垂木
１５  野地板
１６  ルーフィング材
１７  屋根葺き材
２３  内側板
２４  外側板
２５，２６  連結板
２７  中間板
２８  可動ボート
Ｔ  建物
【手続補正３】
【補正対象書類名】図面
【補正対象項目名】全図
【補正方法】変更
【補正の内容】
【図１】
2007077784.tif 000001
【図２】
2007077784.tif 000002